(57)【要約】【課題】レンズ系全体を小型化し、全ズーム領域にわたり色収差を良好に補正した高い光学性能を有したズームレンズを得ること。【解決手段】物体側より像側へ順に、正，負，正の屈折力の第１，第２，第３レンズ群と、最も像側に配置された正の屈折力のレンズ群を含む後群を有するズームレンズであって、該第３レンズ群は、アッベ数と部分分散比を各々ν３ｐ，θｇＦ３ｐとするとき、ν３ｐ・θｇＦ３ｐ＞３８なる条件を満足する材料で構成された正レンズと、その物体側に配置された負レンズとを有し、該最も像側に配置された正の屈折力のレンズ群は、アッベ数と部分分散比を各々νｒｐ，θｇＦｒｐとするとき、νｒｐ・θｇＦｒｐ＞３８なる条件を満足する材料で構成された正レンズを有し、該第３レンズ群と該第３レンズ群中の該正レンズの焦点距離を各々ｆ３、ｆ３ｐとするとき、０．５＜ｆ３ｐ／ｆ３＜２．５なる条件を満足すること。【選択図】図１
2006215257.tif 000002
【特許請求の範囲】
【請求項１】
物体側より像側へ順に、正の屈折力の第１レンズ群、負の屈折力の第２レンズ群、正の屈折力の第３レンズ群、最も像側に配置された正の屈折力のレンズ群を含む後群を有し、ズーミングに際して該第２レンズ群と該後群に含まれる少なくとも１つのレンズ群とが移動するズームレンズであって、
該第３レンズ群は、アッベ数と部分分散比を各々ν３ｐ，θｇＦ３ｐとするとき、
ν３ｐ・θｇＦ３ｐ  ＞  ３８
なる条件を満足する材料で構成された正レンズと、その物体側に配置された負レンズとを有し、
該最も像側に配置された正の屈折力のレンズ群は、アッベ数と部分分散比を各々νｒｐ，θｇＦｒｐとするとき、
νｒｐ・θｇＦｒｐ＞  ３８
なる条件を満足する材料で構成された正レンズを有し、
該第３レンズ群と該第３レンズ群中の該正レンズの焦点距離を各々ｆ３、ｆ３ｐとするとき、
０．５  ＜ｆ３ｐ／ｆ３＜  ２．５
なる条件を満足することを特徴とするズームレンズ。
【請求項２】
物体側より像側へ順に、正の屈折力の第１レンズ群、負の屈折力の第２レンズ群、正の屈折力の第３レンズ群、正の屈折力の第４レンズ群を有し、ズーミングに際して該第２レンズ群と該第４レンズ群とが移動するズームレンズであって、
該第３レンズ群は、アッベ数と部分分散比を各々ν３ｐｐ，θｇＦ３ｐｐとするとき、
ν３ｐｐ・θｇＦ３ｐｐ＞３８
なる条件を満足する材料で構成された正レンズと、その物体側に配置された負レンズとを有し、
該第４レンズ群は、アッベ数と部分分散比を各々ν４ｐｐ，θｇＦ４ｐｐとするとき、
ν４ｐｐ・θｇＦ４ｐｐ＞  ３８
なる条件を満足する材料で構成された正レンズを有し、
該第３レンズ群と該第３レンズ群中の該正レンズの焦点距離を各々ｆ３，ｆ３ｐｐとするとき、
０．５  ＜ｆ３ｐｐ／ｆ３＜  ０．８
なる条件を満足することを特徴とするズームレンズ。
【請求項３】
前記第４レンズ群と前記第４レンズ群中の正レンズの焦点距離を各々ｆ４，ｆ４ｐｐとするとき
０．９＜ｆ４ｐｐ／ｆ４＜１．５
なる条件を満足することを特徴とする請求項２のズームレンズ。
【請求項４】
前記第３レンズ群は、負レンズとその像側に配置された正レンズとを接合した接合レンズ、又は単一の負レンズより成る負の屈折力のレンズ成分を有することを特徴とする請求項２又は３のズームレンズ。
【請求項５】
前記第４レンズ群は、物体側より像側へ順に、正レンズ、負レンズと正レンズとを接合した接合レンズを有することを特徴とする請求項２から４のいずれか１項のズームレンズ。
【請求項６】
物体側より像側へ順に、正の屈折力の第１レンズ群、負の屈折力の第２レンズ群、正の屈折力の第３レンズ群、負の屈折力の第４レンズ群、正の屈折力の第５レンズ群を有し、ズーミングに際して該第２レンズ群と該第４レンズ群とが移動するズームレンズであって、
該第３レンズ群は、アッベ数と部分分散比を各々ν３３，θｇＦ３３とするとき、
ν３３・θｇＦ３３  ＞  ３８
なる条件を満足する材料で構成された正レンズと、その物体側に配置された負レンズを有し、
該第５レンズ群は、アッベ数と部分分散比を各々ν５ｐｐ，θｇＦ５ｐｐとするとき、
ν５ｐｐ・θｇＦ５ｐｐ＞  ３８
なる条件を満足する材料で構成された正レンズを有し、
該第３レンズ群と該第３レンズ群中の該正レンズの焦点距離を各々ｆ３，ｆ３３とするとき、
１．０  ＜ｆ３３／ｆ３＜  ２．５
なる条件を満足することを特徴とするズームレンズ。
【請求項７】
前記第５レンズ群と前記第５レンズ群中の前記正レンズの焦点距離を各々ｆ５、ｆ５ｐｐとするとき
０．８＜ｆ５ｐｐ／ｆ５＜１．３
なる条件を満足することを特徴とする請求項６のズームレンズ。
【請求項８】
前記第５レンズ群は、物体側より像側へ順に、正レンズ、負レンズと正レンズとを接合した接合レンズを有することを特徴とする請求項６又は７のズームレンズ。
【請求項９】
前記第１レンズ群に含まれる全ての正レンズは、それを構成する材料のアッベ数と部分分散比を各々ν１ｐｐ、θｇＦ１ｐｐとするとき
ν１ｐｐ・θｇＦ１ｐｐ＜３８
なる条件を満足することを特徴とする請求項１から８のいずれか１項のズームレンズ。
【請求項１０】
固体撮像素子上に像を形成することを特徴とする請求項１から９のいずれか１項に記載のズームレンズ。
【請求項１１】
請求項１から１０のいずれか１項に記載のズームレンズと、該ズームレンズによって形成された像を受光する固体撮像素子を有することを特徴とする撮像装置。
【発明の詳細な説明】
【技術分野】
【０００１】
本発明は、ズームレンズ及びそれを有する撮像装置に関し、例えばビデオカメラやデジタルスチルカメラ等の撮像装置に好適なものである。
【背景技術】
【０００２】
最近、ビデオカメラ、デジタルスチルカメラ等の撮像装置（カメラ）では、画素数の多い（高画素の）固体撮像素子が多く使用され、それに用いる光学系には高性能のズームレンズが求められている。
【０００３】
高画素の撮像素子用のズームレンズには諸収差のうち、特に広い波長域での色収差の補正を十分に行うことが要望されている。一般に高ズーム比の望遠端の焦点距離が長いズームレンズでは望遠端において色収差が像性能に与える影響が大きい。
【０００４】
この為、望遠端の焦点距離が長いズームレンズには一次の色消しに加え二次スペクトルの低減が強く求められている。
【０００５】
従来、望遠端において軸上色収差の二次スペクトルの補正のために異常分散性を有するガラスより成るレンズを用いたズームレンズが数多く知られている。
【０００６】
また、高ズーム比化に適したズームレンズのズーム構成としては最も物体側のレンズ群を正の屈折力のレンズ群とした所謂ポジティブリード型のズームレンズが知られている。
【０００７】
ポジティブリード型のズームレンズとして、物体側より順に、正、負、正、正の屈折力のレンズ群より成る４群構成のズームレンズにおいて異常分散性を有するガラスより成るレンズを用いたズームレンズが知られている（例えば特許文献１〜５）。
【０００８】
また物体側より順に、正、負、正、負、正の屈折力のレンズ群より成る５群構成のズームレンズにおいて異常分散性を有するガラスより成るレンズを用いたズームレンズが知られている（例えば特許文献６〜９）。
【特許文献１】特許第３０９７３９９号
【特許文献２】特開２００２−６２４７８号公報
【特許文献３】特開２０００−３２１４９９号公報
【特許文献４】特開平８−２４８３１７号公報
【特許文献５】特開２００１−１９４５９０号公報
【特許文献６】特開平９−５６２４号公報
【特許文献７】特開２００２−６２４７８号公報
【特許文献８】特開２００１−３５００９３号公報
【特許文献９】特開２００１−１９４５９０号公報
【発明の開示】
【発明が解決しようとする課題】
【０００９】
ポジティブリード型の高変倍比のズームレンズにおいては、望遠側のズーム領域において軸上色収差の二次スペクトルが大きくなりやすい。軸上色収差の二次スペクトルを低減させるためには、低分散かつ異常分散性の材料を用いるのが有効である。
【００１０】
前述の４群ズームレンズや５群ズームレンズにおいては、望遠域に於いて、第１レンズ群近傍の入射光線高が大きいため、軸上の色収差は主にここで発生している。そのため、従来異常分散性の材料を導入する際は第１レンズ群に導入し、後続のレンズ群に入射する色収差成分を低減する方法が多く用いられていた。
【００１１】
特許文献１，４，５，８，９では正の屈折力の第１レンズ群中の正レンズの材料に、アッベ数が８０を越える異常分散性を有するガラスを用いている。
【００１２】
一般にアッベ数が８０を越える低分散ガラスは異常分散性を有しており、ポジティブリードの第１レンズ群の正レンズに用いると望遠側の二次スペクトルを低減させる効果がある。しかしながら異常分散性材料は一般に加工が難しく特に径の大きい第１レンズ群に用いる場合は製造が難しくなる。
【００１３】
特許文献１，２，６では正の屈折力の第３レンズ群中の正レンズの材料に、アッベ数が８０を越える異常分散性を有するガラスを用いて二次スペクトルを低減させている。
【００１４】
特許文献３では、第４レンズ群にのみ異常分散硝材より成るレンズを用いたズームレンズを開示しているが、ズーム比は４倍程度であり、より高ズーム化した際の色収差の補正に関しては記載されていない。
【００１５】
特許文献７では、第３レンズ群と第５レンズ群に異常分散硝材より成るレンズを用いたズームレンズを開示しているが、倍率色収差の補正に改良の余地がある。
【００１６】
本発明は、異常分散性の材料より成るレンズを適切に用いることによって広角端から望遠端に至る全ズーム範囲において、色収差、特に２次スペクトルを良好に補正し、高い光学性能が得られるズームレンズの提供を目的とする。
【００１７】
尚、ここで異常分散性の材料とは、ｇ線，ｄ線，Ｆ線，Ｃ線に対する材料の屈折率を各々Ｎｇ，Ｎｄ，ＮＦ，ＮＣとし、
【００１８】
【数１】
2006215257.tif 000003
【００１９】
【数２】
2006215257.tif 000004
【００２０】
としたとき
８０＜νｄ
０．５３＜θｇＦ
を同時に満足する材料をいう。
【課題を解決するための手段】
【００２１】
本発明のズームレンズは、
・物体側より像側へ順に、正の屈折力の第１レンズ群、負の屈折力の第２レンズ群、正の屈折力の第３レンズ群、最も像側に配置された正の屈折力のレンズ群を含む後群を有し、ズーミングに際して該第２レンズ群と該後群に含まれる少なくとも１つのレンズ群とが移動するズームレンズであって、
該第３レンズ群は、アッベ数と部分分散比を各々ν３ｐ，θｇＦ３ｐとするとき、
ν３ｐ・θｇＦ３ｐ  ＞  ３８
なる条件を満足する材料で構成された正レンズと、その物体側に配置された負レンズとを有し、
該最も像側に配置された正の屈折力のレンズ群は、アッベ数と部分分散比を各々νｒｐ，θｇＦｒｐとするとき、
νｒｐ・θｇＦｒｐ＞  ３８
なる条件を満足する材料で構成された正レンズを有し、
該第３レンズ群と該第３レンズ群中の該正レンズの焦点距離を各々ｆ３、ｆ３ｐとするとき、
０．５  ＜ｆ３ｐ／ｆ３＜  ２．５
なる条件を満足することを特徴としている。
【００２２】
この他本発明のズームレンズは、
・物体側より像側へ順に、正の屈折力の第１レンズ群、負の屈折力の第２レンズ群、正の屈折力の第３レンズ群、正の屈折力の第４レンズ群を有し、ズーミングに際して該第２レンズ群と該第４レンズ群とが移動するズームレンズであって、
該第３レンズ群は、アッベ数と部分分散比を各々ν３ｐｐ，θｇＦ３ｐｐとするとき、
ν３ｐｐ・θｇＦ３ｐｐ＞３８
なる条件を満足する材料で構成された正レンズと、その物体側に配置された負レンズとを有し、
該第４レンズ群は、アッベ数と部分分散比を各々ν４ｐｐ，θｇＦ４ｐｐとするとき、
ν４ｐｐ・θｇＦ４ｐｐ＞  ３８
なる条件を満足する材料で構成された正レンズを有し、
該第３レンズ群と該第３レンズ群中の該正レンズの焦点距離を各々ｆ３，ｆ３ｐｐとするとき、
０．５  ＜ｆ３ｐｐ／ｆ３＜  ０．８
なる条件を満足することを特徴としている。
【００２３】
この他本発明のズームレンズは、
・物体側より像側へ順に、正の屈折力の第１レンズ群、負の屈折力の第２レンズ群、正の屈折力の第３レンズ群、負の屈折力の第４レンズ群、正の屈折力の第５レンズ群を有し、ズーミングに際して該第２レンズ群と該第４レンズ群とが移動するズームレンズであって、
該第３レンズ群は、アッベ数と部分分散比を各々ν３３，θｇＦ３３とするとき、
ν３３・θｇＦ３３  ＞  ３８
なる条件を満足する材料で構成された正レンズと、その物体側に配置された負レンズを有し、
該第５レンズ群は、アッベ数と部分分散比を各々ν５ｐｐ，θｇＦ５ｐｐとするとき、
ν５ｐｐ・θｇＦ５ｐｐ＞  ３８
なる条件を満足する材料で構成された正レンズを有し、
該第３レンズ群と該第３レンズ群中の該正レンズの焦点距離を各々ｆ３，ｆ３３とするとき、
１．０  ＜ｆ３３／ｆ３＜  ２．５
なる条件を満足することを特徴としている。
【発明の効果】
【００２４】
本発明によれば、広いズーム範囲において、色収差を良好に補正し、高い光学性能が得られるズームレンズが実現できる。
【発明を実施するための最良の形態】
【００２５】
【実施例１】
【００２６】
以下、本発明のズームレンズ及びそれを有する撮像装置の実施例について説明する。
【００２７】
図１は本発明の実施例１のズームレンズの広角端におけるレンズ断面図、図２（Ａ），（Ｂ）はそれぞれ実施例１のズームレンズの広角端、望遠端における収差図である。
【００２８】
図３は本発明の実施例２のズームレンズの広角端におけるレンズ断面図、図４（Ａ），（Ｂ）はそれぞれ実施例２のズームレンズの広角端、望遠端における収差図である。
【００２９】
図５は本発明の実施例３のズームレンズの広角端におけるレンズ断面図、図６（Ａ），（Ｂ）はそれぞれ実施例３のズームレンズの広角端、望遠端における収差図である。
【００３０】
図７は本発明の実施例４のズームレンズの広角端におけるレンズ断面図、図８（Ａ），（Ｂ）はそれぞれ実施例４のズームレンズの広角端、望遠端における収差図である。
【００３１】
図９は本発明のズームレンズを備えるデジタルカメラの要部概略図である。
【００３２】
図１０は本発明のズームレンズを備えるビデオカメラの要部概略図である。
【００３３】
各実施例のズームレンズは撮像装置に用いられる撮影レンズ系であり、レンズ断面図において、左方が被写体側（前方）で、右方が像側（後方）である。
【００３４】
各実施例のズームレンズは、物体側より像側へ順に、正の屈折力の第１レンズ群Ｌ１、負の屈折力の第２レンズ群Ｌ２、開口絞りＳＰ、正の屈折力の第３レンズ群Ｌ３、後群Ｌｒを有し、後群Ｌｒは最も像側に配置されたレンズ群が正の屈折力のレンズ群Ｌｒｐを含む１以上のレンズ群で構成されている。そして、ズーミングに際しては、第２レンズ群Ｌ２と後群Ｌｒ中の少なくとも１つのレンズ群が移動する。
【００３５】
図１、図３の実施例１，２では、後群Ｌｒは正の屈折力の第４レンズ群Ｌ４より成っている。そしてズーミングに際して、第２レンズ群Ｌ２と第４レンズ群Ｌ４が移動している。
【００３６】
図５、図７の実施例３，４では後群Ｌｒは負の屈折力の第４レンズ群Ｌ４、正の屈折力の第５レンズ群Ｌ５より成っている。そしてズーミングに際して第２レンズ群Ｌ２と第４レンズ群Ｌ４が移動している。
【００３７】
尚、収差図においてｄ，ｇは各々ｄ線，ｇ線、ΔＭ，ΔＳはメリディオナル像面，サジタル像面、倍率色収差はｇ線によって表している。
【００３８】
各実施例において、第３レンズ群Ｌ３は、負レンズと、その負レンズの像側に配置された正レンズＧ３ｐを含む２以上のレンズで構成されている。
【００３９】
また、後群Ｌｒ中の最も像側に配置されたレンズ群Ｌｒｐは、正レンズＧＬｒｐを含む１以上のレンズで構成されている。
【００４０】
そして、第３レンズ群Ｌ３と正レンズＧ３ｐの焦点距離（正レンズ３ｐが接合されているときは、分離したときの正レンズ３ｐのみの焦点距離、以下同様である。）を各々ｆ３、ｆ３ｐ、
正レンズＧ３ｐを構成する材料のアッベ数と部分分散比を各々ν３ｐ、θｇＦ３ｐ、
正レンズＧＬｒｐを構成する材料のアッベ数と部分分散比を各々νｒｐ、θｇＦｒｐとするとき
ν３ｐ・θｇＦ３ｐ  ＞  ３８          ‥‥‥（１）
０．５  ＜ｆ３ｐ／ｆ３＜  ２．５    ‥‥‥（２）
νｒｐ・θｇＦｒｐ＞  ３８            ‥‥‥（３）
なる条件を満足している。
【００４１】
又第１レンズ群Ｌ１に含まれる全ての正レンズは、それを構成する材料のアッベ数と部分分散比を各々ν１ｐｐ、θｇＦ１ｐｐとするとき
ν１ｐｐ・θｇＦ１ｐｐ＜３８        ‥‥‥（４）
なる条件を満足している。
【００４２】
又図１，図３の実施例１，２において、第３レンズ群Ｌ３は、物体側から像側へ順に、負の屈折力のレンズ成分３Ｕと正レンズＧ３ｐｐとで構成されている。また、第４レンズ群Ｌ４は、正レンズＧ４ｐｐ、負レンズと正レンズとを接合した接合レンズで構成されている。
【００４３】
そして、第３レンズ群Ｌ３と正レンズＧ３ｐｐの焦点距離を各々ｆ３、ｆ３ｐｐ、
正レンズＧ３ｐｐを構成する材料のアッベ数と部分分散比を各々ν３ｐｐ、θｇＦ３ｐｐ、
第４レンズ群Ｌ４中の正レンズＧ４ｐｐを構成する材料のアッベ数と部分分散比を各々ν４ｐｐ、θｇＦ４ｐｐ、
とするとき
ν３ｐｐ・θｇＦ３ｐｐ＞３８            ‥‥‥（１ａ）
０．５  ＜ｆ３ｐｐ／ｆ３＜  ０．８    ‥‥‥（２ａ）
ν４ｐｐ・θｇＦ４ｐｐ＞  ３８          ‥‥‥（３ａ）
なる条件を満足している。
【００４４】
又、第４レンズ群Ｌ４と正レンズＧ４ｐｐの焦点距離を各々ｆ４、ｆ４ｐｐとするとき
０．９＜ｆ４ｐｐ／ｆ４＜１．５      ‥‥‥（５）
なる条件を満足している。
【００４５】
又、レンズ成分３Ｕは、実施例１では負レンズとその像側の正レンズを接合した接合レンズで構成しているが、単一の負レンズより構成しても良い。
【００４６】
図３の実施例２ではレンズ成分３Ｕは１つの負レンズより成っている。
【００４７】
図５，図７の実施例３，４において、第３レンズ群Ｌ３は、物体側から像側へ順に、正レンズＧ３１，負レンズＧ３２，正レンズＧ３３で構成されている。また、第５レンズ群Ｌ５は、物体側から像側へ順に、正レンズ、正レンズと負レンズとを接合した接合レンズで構成されている。
【００４８】
そして第３レンズ群Ｌ３と正レンズＧ３３の焦点距離を各々ｆ３、ｆ３３、
正レンズＧ３３を構成する材料のアッベ数と部分分散比を各々ν３３、θｇＦ３３、
第５レンズ群Ｌ５中の正レンズＧ５ｐｐを構成する材料のアッベ数と部分分散比を各々ν５ｐｐ、θｇＦ５ｐｐ、
とするとき
ν３３・θｇＦ３３  ＞  ３８          ‥‥‥（１ｂ）
１．０  ＜ｆ３３／ｆ３＜  ２．５    ‥‥‥（２ｂ）
ν５ｐｐ・θｇＦ５ｐｐ＞  ３８        ‥‥‥（３ｂ）
なる条件を満足している。
【００４９】
又、第５レンズ群Ｌ５と正レンズＧ５ｐｐの焦点距離を各々ｆ５、ｆ５ｐｐとするとき
０．８＜ｆ５ｐｐ／ｆ５＜１．３      ‥‥‥（６）
なる条件を満足している。
【００５０】
各実施例に於いて、第３レンズ群Ｌ３中の異常分散硝材を適用した正レンズ（Ｇ３ｐ、Ｇ３ｐｐ，Ｇ３３）の物体側には負レンズが配置されている。
【００５１】
これは、絞りＳＰを通った光線束が、その負レンズ成分により光束を広げられた後に、異常分散性を持つ正レンズに入射する事が有効であることを示している。収差補正の構造を考察してみると、第３レンズ群Ｌ３中の負レンズ成分の像側では、軸上光束のマージナル光線高が高いため、ここに異常分散性を有する正レンズを配置すると、軸上色収差の補正に有利である。
【００５２】
一方で、図１，図３の４群ズームレンズの第４レンズ群Ｌ４や、図５，図７の５群ズームレンズの第５レンズ群Ｌ５は、軸外光束の入射高が高いため、倍率色収差の補正に有利である。
【００５３】
このように、絞りＳＰより像側の複数のレンズ群に異常分散性の材料より成るレンズを用いて色収差（２次スペクトルを含む）を良好に補正することができるようにしている。
【００５４】
次に前述の各条件式の技術的な意味について説明する。
【００５５】
条件式（１），（１ａ），（１ｂ）は第３レンズ群Ｌ３中の異常分散性の材料を用いた正レンズＧ３ｐ（Ｇ３ｐｐ、Ｇ３３）のアッベ数ν３ｐ（ν３ｐｐ、ν３３）と部分分散比θｇＦ３ｐ（θｇＦ３ｐｐ、θｇＦ３３）に関し、条件式３（３ａ），（３ｂ）は後群Ｌｒ中のレンズ群Ｌｒｐ（図１，図３の実施例１，２では第４レンズ群Ｌ４、図５，図７の実施例３，４では第５レンズ群Ｌ５）の異常分散性の材料を用いた正レンズＧＬｒｐ（Ｇ４ｐｐ、Ｇ５ｐｐ）のアッベ数νｒｐ（ν４ｐｐ、ν５ｐｐ）と部分分散比θｇＦｒｐ（θｇＦ４ｐｐ、θｇＦ５ｐｐ）に関し、主にズーム全域において軸上色収差と倍率色収差を適切に補正する為のものである。
【００５６】
これらの条件式（１），（１ａ），（１ｂ）や（３），（３ａ），（３ｂ）を外れると高ズーム比化を図ったときの軸上色収差と倍率色収差を良好に補正するのが難しくなってくる。
【００５７】
条件式（２），（２ａ），（２ｂ）は第３レンズ群Ｌ３中の異常分散性の材料を用いた正レンズＧ３ｐ（Ｇ３ｐｐ、Ｇ３３）の焦点距離ｆ３ｐ（ｆ３ｐｐ、ｆ３３）に対する第３レンズ群Ｌ３の焦点距離ｆ３の比に関する。
【００５８】
条件式（２），（２ａ），（２ｂ）の下限を超えて正レンズＧ３ｐ（Ｇ３ｐｐ、Ｇ３３）の焦点距離が短くなると、屈折率の低い異常分散硝材を用いた該正レンズ面の曲率が大きくなり、球面収差とコマ収差の補正が難しくなる。
【００５９】
一方で上限を超えて正レンズＧ３ｐ（Ｇ３ｐｐ，Ｇ３３）の焦点距離が長くなると、異常分散硝材が屈折力に及ぼす影響が小さくなり、色収差を良好に補正するのが難しくなる。
【００６０】
条件式（５）は図１，図３の実施例１，２において、第４レンズ群Ｌ４中の異常分散硝材を用いた正レンズＧ４ｐｐの焦点距離に対する第４レンズ群Ｌ４の焦点距離の比に関する。
【００６１】
条件式（６）は図５，図７の実施例３，４において、第５レンズ群Ｌ５中の異常分散硝材を用いた正レンズＧ５ｐｐの焦点距離に対する第５レンズ群Ｌ５の焦点距離の比に関する。
【００６２】
条件式（４）、（６）の上限又は下限のいずれも越えると、異常分散硝材の屈折力と密接な関連のある色収差補正の負担が崩れて色収差の良好なる補正が難しくなる。
【００６３】
条件式（４）は第１レンズ群Ｌ１中の正レンズの材料の選択に関するもので、アッベ数ν１ｐｐと部分分散比θｇＦ１ｐｐを適切に設定し、高価で加工難度の高い硝材を、外径の大きいレンズに
使用しない為のものである。
【００６４】
条件式（１）の上限又は下限を越えると全ズーム領域において色収差を少なくするのが難しくなる。
【００６５】
各実施例において、更に好ましくは前述の各条件式の数値範囲を次の如く設定するのが良い。
【００６６】
ν３ｐ・θｇＦ３ｐ＞４３              ‥‥‥（１′）
０．５＜ｆ３ｐ／ｆ３＜１．２        ‥‥‥（２′）
νｒｐ・θｇＦｒｐ＞４３              ‥‥‥（３′）
ν３ｐｐ・θｇＦ３ｐｐ＞４３          ‥‥‥（１ａ′）
０．５＜ｆ３ｐｐ／ｆ３＜０．８      ‥‥‥（２ａ′）
ν４ｐｐ・θｇＦ４ｐｐ＞５０          ‥‥‥（３ａ′）
ν３３・θｇＦ３３＞４３              ‥‥‥（１ｂ′）
１．１＜ｆ３３／ｆ３＜２．１        ‥‥‥（２ｂ′）
ν５ｐｐ・θｇＦ５ｐｐ＞４３          ‥‥‥（３ｂ′）
次に図１，図３の実施例１，２のズームレンズの構成について説明する。図１，図３のレンズ断面図において、Ｌ１は正の屈折力（光学的パワー＝焦点距離の逆数）の第１レンズ群、Ｌ２は負の屈折力の第２レンズ群、Ｌ３は正の屈折力の第３レンズ群、Ｌｒは後群であり、正の屈折力の第４レンズ群Ｌ４（Ｌｒｐ）より成っている。ＳＰは開口絞りであり、第３レンズ群Ｌ３の物体側に位置しており、ズーミングに際して第３レンズ群Ｌ３と共に移動する。
【００６７】
Ｇは光学フィルター、フェースプレート等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が、銀塩フィルム用カメラのときはフィルム面に相当する。
【００６８】
尚、以下の各実施例において、広角端と望遠端は変倍用レンズ群（第２レンズ群Ｌ２）が機構上光軸上移動可能な範囲の両端に位置したときのズーム位置をいう。
【００６９】
実施例１，２では、広角端から望遠端へのズーミングに際して矢印のように、第２レンズ群Ｌ２を像側へ移動させて変倍を行うと共に、変倍に伴う像面変動を第４レンズ群Ｌ４を物体側に凸状の軌跡を有するよう移動させて補正している。
【００７０】
また、第４レンズ群Ｌ４を光軸上移動させてフォーカシングを行うリアフォーカス式を採用している。第４レンズ群Ｌ４に関する実線の曲線４ａと点線の曲線４ｂは、各々無限遠物体と近距離物体にフォーカスしているときの変倍に伴う像面変動を補正するための移動軌跡である。このように第４レンズ群Ｌ４を物体側へ凸状の軌跡とすることで第３レンズ群Ｌ３と第４レンズ群Ｌ４との間の空間の有効利用を図り、レンズ全長の短縮化を効果的に達成している。
【００７１】
又、望遠端において無限遠物体から近距離物体へフォーカスを行う場合には、矢印４ｃに示すように第４レンズ群Ｌ４を前方に繰り出すことで行っている。尚、第１レンズ群Ｌ１と第３レンズ群Ｌ３は、ズーム及びフォーカスの為には光軸方向に不動であるが、収差補正を良好に行う為、必要に応じて移動させても良い。
【００７２】
次に実施例１，２のレンズ構成を説明する。以下、レンズ構成は特に断りがない限り、物体側から像側へ順に配置されている順に説明する。
【００７３】
実施例１は、第１レンズ群Ｌ１を正レンズと負レンズからなる接合レンズ、正レンズにより構成している。接合レンズを構成する正レンズは、低分散の硝材を用いることにより、色収差の補正を容易にしている。
【００７４】
第２レンズ群Ｌ２は負レンズ、負レンズ、正レンズと負レンズからなる接合レンズにより構成している。レンズ群として屈折力の大きい第２レンズ群Ｌ２において、接合レンズの硝材を適切に選択することにより、ズーム全域での色収差の変動及び他の諸収差を抑制している。
【００７５】
第３レンズ群Ｌ３は、負レンズと正レンズからなる接合レンズ（レンズ成分）、正レンズ（Ｇ３ｐ，Ｇ３ｐｐ）により構成している。接合レンズの像側に配置された正レンズＧ３ｐを構成する材料は異常分散硝材であり、株式会社オプトロン社製のＣａＦ２（ｎｄ＝１．４３３８７、νｄ＝９５．１）を用いている。
【００７６】
第４レンズ群Ｌ４は、正レンズ（ＧＬｒｐ，Ｇ４ｐｐ）、負レンズと正レンズの接合レンズにより構成している。実施例１の接合レンズの物体側の正レンズＧＬｒｐを構成する材料は異常分散硝材であり、株式会社オハラ社製の商品名Ｓ−ＦＰＬ５３（ｎｄ＝１．４３８７５、νｄ＝９５．０）を用いている。
【００７７】
第３レンズ群Ｌ３及び第４レンズ群Ｌ４に用いた異常分散硝材より成るレンズは、第１レンズ群Ｌ１に異常分散硝材を用いた従来のズームレンズと比較して、レンズ外径が小さいため、製造が容易である。実施例１では、複数レンズ群のレンズに異常分散硝材を用いることにより、広角端の倍率色収差と望遠端の軸上色収差の補正を分担し、双方を良好に補正している。
【００７８】
実施例１では、望遠端において軸上光線高の高い第３レンズ群Ｌ３に配した異常分散硝材より成るレンズＧ３ｐで主として軸上色収差の補正を行い、広角端において軸外光線高の高い第４レンズ群に配した異常分散硝材より成るレンズＧＬｒｐで主として倍率色収差の補正を行っている。
【００７９】
実施例２は、実施例１とレンズ構成の各レンズの配置は全く同じである。実施例２では、第３レンズ群Ｌ３中の接合レンズを構成する正レンズＧ３ｐの材料に異常分散硝材として株式会社オハラ社製の商品名Ｓ−ＦＰＬ５１（ｎｄ＝１．４９７００、νｄ＝８１．５４）を用い、第４レンズ群Ｌ４中の接合レンズを構成する正レンズＧＬｒｐに、異常分散硝材として株式会社オハラ社製の商品名Ｓ−ＦＰＬ５３を用いているところが特徴的である。
【００８０】
以上のように実施例１及び実施例２においては、いずれも第３レンズ群Ｌ３と第４レンズ群Ｌ４に異常分散硝材より成るレンズを用いて色収差を良好に補正している。
【００８１】
次に図５，図７の実施例３，４のズームレンズの構成について説明する。
【００８２】
図５，図７のレンズ断面図において、Ｌ１は正の屈折力の第１レンズ群、Ｌ２は負の屈折力の第２レンズ群、Ｌ３は正の屈折力の第３レンズ群、Ｌｒは後群であり、負の屈折力の第４レンズ群Ｌ４と正の屈折力の第５レンズ群Ｌ５（Ｌｒｐ）より成っている。ＳＰは開口絞りであり、第３レンズ群Ｌ３の前方（物体側）に位置し、ズーミングに際して第３レンズ群Ｌ３とともに移動している。
【００８３】
Ｇは光学フィルター、フェースプレート等に相当する光学ブロックである。ＩＰは像面であり、ＣＣＤセンサやＣＭＯＳセンサ等の固体撮像素子（光電変換素子）の撮像面が位置している。
【００８４】
実施例３，４では、広角端から望遠端へのズーミングに際して矢印のように、第２レンズ群Ｌ２を像側へ移動させて変倍を行うと共に、変倍に伴う像面変動を第４レンズ群Ｌ４を像側に凸状の軌跡を有するよう移動させて補正している。
【００８５】
また、第４レンズ群Ｌ４を光軸上移動させてフォーカシングを行うリアフォーカス式を採用している。第４レンズ群Ｌ４に関する実線の曲線４ａと点線の曲線４ｂは、各々無限遠物体と近距離物体にフォーカスしているときの変倍に伴う像面変動を補正する為の移動軌跡である。
【００８６】
又、望遠端において無限遠物体から近距離物体へフォーカスを行う場合には、矢印４ｃに示すように第４レンズ群Ｌ４を後方に繰り出すことで行っている。尚、第１レンズ群Ｌ１と第３レンズ群Ｌ３と第５レンズ群Ｌ５はズーム及びフォーカスの為には光軸方向に不動であるが収差補正を良好に行う為、必要に応じて移動させても良い。
【００８７】
次に実施例３，４のレンズ構成について説明する。
【００８８】
図５に示す実施例３は、第１レンズ群Ｌ１を正レンズと負レンズからなる接合レンズ、正レンズにより構成している。第２レンズ群Ｌ２は負レンズ、負レンズ、正レンズと負レンズからなる接合レンズにより構成している。
【００８９】
第３レンズ群Ｌ３は、正レンズＧ３１と負レンズＧ３２からなる接合レンズ、正レンズＧ３３（Ｇ３ｐ）により構成している。像側の正レンズＧ３３の材料は、異常分散硝材であり、株式会社オプトロン社製のＣａＦ２（ｎｄ＝１．４３３８７、νｄ＝９５．１）を用いている。
【００９０】
第４レンズ群Ｌ４は、正レンズと負レンズの接合レンズにより構成している。第５レンズ群Ｌ５は正レンズＧＬｒｐ（Ｇ５ｐｐ）、正レンズと負レンズの接合レンズから構成しており、正レンズＧＬｒｐの材料は異常分散硝材であり、株式会社オハラ社製の商品名Ｓ−ＦＰＬ５１（ｎｄ＝１．４９６７０、νｄ＝８１．５）を用いている。
【００９１】
第３レンズ群Ｌ３及び第５レンズ群Ｌ５に用いた異常分散硝材より成るレンズは、第１レンズ群Ｌ１に異常分散硝材を用いた従来のズームレンズと比較して、レンズ外径が小さいため、製造が容易である。
【００９２】
実施例３では複数のレンズ群のレンズに異常分散硝材を用いることにより、広角端の倍率色収差と望遠端の軸上色収差の補正を分担し、双方に良好に補正している。実施例３では、望遠端において軸上光線高の高い第３レンズ群Ｌ３に配した異常分散硝材より成るレンズＧ３３で主として軸上色収差の補正を行い、広角端において軸外光線高の高い第５レンズ群Ｌ５に配した異常分散硝材より成るレンズＧＬｒｐで主として倍率色収差の補正を行っている。
【００９３】
図７に示す実施例４は、実施例３に比べて第３レンズ群Ｌ３を正レンズＧ３１、負レンズＧ３２と正レンズＧ３３の接合レンズにより構成した点が異なっており、その他のレンズ群のレンズ構成の各レンズの配置は同じである。
【００９４】
実施例４では、第３レンズ群Ｌ３中の接合レンズを構成する正レンズＧ３３の材料に異常分散硝材として株式会社オハラ社製の商品名Ｓ−ＦＰＬ５１（ｎｄ＝１．４９７００、νｄ＝８１．５４）を用いている。
【００９５】
又、第５レンズ群Ｌ５を構成する物体側の正レンズＧＬｒｐの材料に、異常分散硝材として株式会社オハラ社製の商品名Ｓ−ＦＰＬ５１を用いているところが特徴的である。
【００９６】
以上のように、実施例３及び実施例４においては、いずれも第３レンズ群Ｌ３と第５レンズ群Ｌ５に異常分散硝材より成るレンズを用いて色収差を良好に補正している。
【００９７】
なお、全ての実施例において、第１レンズ群Ｌ１に含まれる正レンズは、株式会社オハラ社製の商品名Ｓ−ＦＳＬ５（ｎｄ＝１．４８７４９、νｄ＝７０．２３）とＳ−ＬＡＬ１４（ｎｄ＝１．６９６８０、νｄ＝５５．５３）を用いている。
【００９８】
次に本発明の数値実施例１〜４を示す。各数値実施例においてｉは物体側からの光学面の順序を示し、Ｒｉは第ｉ番目の光学面（第ｉ面）の曲率半径、Ｄｉは第ｉ面と第ｉ＋１面との間の間隔、Ｎｉとνｉはそれぞれｄ線に対する第ｉ番目の光学部材の材料の屈折率，アッベ数を示す。
【００９９】
またｋを離心率、Ｂ，Ｃ，Ｄを非球面係数、光軸からの高さｈの位置での光軸方向の変位を面頂点を基準にしてｘとするとき、非球面形状は
ｘ＝（ｈ２／Ｒ）／［１＋［１−（１＋Ｋ）（ｈ／Ｒ）２］１／２］
＋Ｂｈ４＋Ｃｈ６＋Ｄｈ８
で表わされる。
【０１００】
但しＲは曲率半径である。また例えば「ｅ−Ｚ」の表示は「１０−Ｚ」を意味する。数値実施例１〜４において、最終の２つの面はフィルター等のガラスブロックである。ｆは焦点距離、ＦｎｏはＦナンバー、ωは半画角を示す。また各数値実施例における上述した条件式との対応を表−１に示す。
【０１０１】
［数値実施例１］
ｆ＝1〜 11.60  Ｆｎｏ＝ 1.66 〜 2.45  ２ω＝59.2゜ 〜 5.6゜
R 1 =   11.610      D 1 =  0.30      N 1 = 1.846660      ν 1 = 23.9
R 2 =    6.683      D 2 =  1.07      N 2 = 1.487490      ν 2 = 70.2
R 3 =  -32.117      D 3 =  0.05
R 4 =    5.649      D 4 =  0.67      N 3 = 1.696797      ν 3 = 55.5
R 5 =   14.259      D 5 =  可変
R 6 =    8.226      D 6 =  0.16      N 4 = 1.882997      ν 4 = 40.8
R 7 =    1.433      D 7 =  0.66
R 8 =   -3.978      D 8 =  0.14      N 5 = 1.834000      ν 5 = 37.2
R 9 =   15.371      D 9 =  0.10
R10 =    3.473      D10 =  0.65      N 6 = 1.846660      ν 6 = 23.9
R11 =   -4.162      D11 =  0.14      N 7 = 1.806098      ν 7 = 40.9
R12 =   20.230      D12 =  可変
R13 =    絞り       D13 =  0.77
R14 =   -4.214      D14 =  0.16      N 8 = 1.772499      ν 8 = 49.6
R15 =    7.270      D15 =  0.39      N 9 = 1.698947      ν 9 = 30.1
R16 =   -7.319      D16 =  0.23
R17 =    5.290      D17 =  0.60      N10 = 1.433870      ν10 = 95.1
R18 =   -5.509      D18 =  可変
R19 =    4.572      D19 =  0.67      N11 = 1.438750      ν11 = 95.0
R20 =   -7.263      D20 =  0.03
R21 =   11.248      D21 =  0.16      N12 = 1.846660      ν12 = 23.9
R22 =    3.629      D22 =  0.81      N13 = 1.487490      ν13 = 70.2
R23 =   -4.824      D23 =  可変
R24 =    ∞         D24 =  3.94      N14 = 1.516800      ν14 = 64.2
R25 =    ∞
＼焦点距離     1.00    5.21    11.60
可変間隔＼
D 5           0.19    4.58     5.82
D12           6.05    1.66     0.42
D18           1.72    1.10     1.76
D23           0.70    1.32     0.66
非球面係数
R17 ｋ=6.49499e+00 Ｂ=-1.07588e-02 Ｃ=-4.02111e-04 Ｄ=-4.77371e-04 
R19 ｋ=-1.04126e+00 Ｂ=-5.96458e-03 Ｃ=2.31312e-05 Ｄ=6.72165e-05  
［数値実施例２］ 
ｆ＝1〜 11.59  Ｆｎｏ＝ 1.66 〜 2.45  ２ω＝59.2゜ 〜 5.6゜
R 1 =   10.437      D 1 =  0.30      N 1 = 1.846660      ν 1 = 23.9
R 2 =    6.190      D 2 =  1.07      N 2 = 1.487490      ν 2 = 70.2
R 3 = -112.705      D 3 =  0.05
R 4 =    6.120      D 4 =  0.67      N 3 = 1.696797      ν 3 = 55.5
R 5 =   21.757      D 5 =  可変
R 6 =   11.781      D 6 =  0.16      N 4 = 1.882997      ν 4 = 40.8
R 7 =    1.488      D 7 =  0.59
R 8 =   -4.437      D 8 =  0.14      N 5 = 1.834000      ν 5 = 37.2
R 9 =   11.081      D 9 =  0.10
R10 =    3.425      D10 =  0.65      N 6 = 1.846660      ν 6 = 23.9
R11 =   -3.895      D11 =  0.14      N 7 = 1.806098      ν 7 = 40.9
R12 =   23.748      D12 =  可変
R13 =    絞り       D13 =  0.77
R14 =   -6.601      D14 =  0.16      N 8 = 1.772499      ν 8 = 49.6
R15 =    4.572      D15 =  0.39      N 9 = 1.496999      ν 9 = 81.5
R16 =  -28.929      D16 =  0.23
R17 =    5.512      D17 =  0.60      N10 = 1.806100      ν10 = 40.7
R18 =   -9.768      D18 =  可変
R19 =    5.992      D19 =  0.67      N11 = 1.583126      ν11 = 59.4
R20 =   -7.234      D20 =  0.03
R21 =   15.943      D21 =  0.16      N12 = 1.846660      ν12 = 23.9
R22 =    3.717      D22 =  0.81      N13 = 1.438750      ν13 = 95.0
R23 =   -4.198      D23 =  可変
R24 =    ∞         D24 =  3.94      N14 = 1.516800      ν14 = 64.2
R25 =    ∞
＼焦点距離     1.00    5.21    11.59
可変間隔＼
D 5           0.19    4.65     5.91
D12           6.13    1.67     0.41
D18           1.76    1.12     1.76
D23           0.70    1.33     0.69
非球面係数
R17 ｋ=5.54993e+00 Ｂ=-7.35029e-03 Ｃ=-4.48773e-04 Ｄ=-1.67901e-04  
R19 ｋ=4.82603e-01 Ｂ=-6.73050e-03 Ｃ=1.08131e-04 Ｄ=1.11172e-05  
［数値実施例３］
ｆ＝1〜 9.32  Ｆｎｏ＝ 2.88 〜 2.91  ２ω＝61.8゜ 〜 7.3゜
R 1 =    7.610      D 1 =  0.25      N 1 = 1.846660      ν 1 = 23.8
R 2 =    4.847      D 2 =  0.98      N 2 = 1.487490      ν 2 = 70.2
R 3 =  164.991      D 3 =  0.04
R 4 =    5.191      D 4 =  0.55      N 3 = 1.696797      ν 3 = 55.5
R 5 =   19.013      D 5 =  可変
R 6 =    8.512      D 6 =  0.14      N 4 = 1.834807      ν 4 = 42.7
R 7 =    1.270      D 7 =  0.70
R 8 =   -3.797      D 8 =  0.12      N 5 = 1.696797      ν 5 = 55.5
R 9 =   46.880      D 9 =  0.09
R10 =    2.229      D10 =  0.54      N 6 = 1.846660      ν 6 = 23.8
R11 =  -69.930      D11 =  0.12      N 7 = 1.834000      ν 7 = 37.2
R12 =    3.305      D12 =  可変
R13 =    絞り       D13 =  0.48
R14 =    3.966      D14 =  0.39      N 8 = 1.583126      ν 8 = 59.4
R15 =   -2.166      D15 =  0.11      N 9 = 1.846660      ν 9 = 23.8
R16 =   -4.047      D16 =  0.11
R17 =    6.981      D17 =  0.36      N10 = 1.433870      ν10 = 95.1
R18 =   -2.990      D18 =  可変
R19 =   -3.054      D19 =  0.34      N11 = 1.805181      ν11 = 25.4
R20 =   -1.495      D20 =  0.12      N12 = 1.603112      ν12 = 60.6
R21 =    2.822      D21 =  可変
R22 =    2.625      D22 =  0.52      N13 = 1.496999      ν13 = 81.5
R23 =   -2.417      D23 =  0.04
R24 =  278.778      D24 =  0.45      N14 = 1.603112      ν14 = 60.6
R25 =   -2.030      D25 =  0.11      N15 = 1.846660      ν15 = 23.8
R26 =  -12.172      D26 =  可変
R27 =    ∞         D27 =  0.54      N16 = 1.516330      ν16 = 64.2
R28 =    ∞
＼焦点距離     1.00    4.85     9.32
可変間隔＼
D 5           0.16    3.55     4.50
D12           4.64    1.26     0.30
D18           0.37    0.37     0.37
D21           1.07    0.38     0.79
D26           0.54    1.22     0.82
非球面係数
R14 ｋ=-5.42001e+00 Ｂ=-6.72331e-03 Ｃ=-3.95157e-03  
R23 ｋ=-2.30442e+00 Ｂ=6.31418e-03 Ｃ=-3.85909e-03 Ｄ=1.50536e-03  
［数値実施例４］
ｆ＝1〜 9.16  Ｆｎｏ＝ 2.88 〜 2.93  ２ω＝61.8゜ 〜 7.5゜
R 1 =    7.985      D 1 =  0.25      N 1 = 1.846660      ν 1 = 23.8
R 2 =    4.983      D 2 =  0.98      N 2 = 1.487490      ν 2 = 70.2
R 3 =  868.493      D 3 =  0.04
R 4 =    4.882      D 4 =  0.55      N 3 = 1.696797      ν 3 = 55.5
R 5 =   15.338      D 5 =  可変
R 6 =    6.596      D 6 =  0.14      N 4 = 1.834807      ν 4 = 42.7
R 7 =    1.233      D 7 =  0.70
R 8 =   -3.546      D 8 =  0.12      N 5 = 1.696797      ν 5 = 55.5
R 9 =   49.900      D 9 =  0.09
R10 =    2.319      D10 =  0.54      N 6 = 1.846660      ν 6 = 23.8
R11 =  -14.161      D11 =  0.12      N 7 = 1.834000      ν 7 = 37.2
R12 =    3.559      D12 =  可変
R13 =    絞り       D13 =  0.48
R14 =    3.266      D14 =  0.36      N 8 = 1.583126      ν 8 = 59.4
R15 =   -7.957      D15 =  0.11
R16 =    3.823      D16 =  0.11      N 9 = 1.846660      ν 9 = 23.8
R17 =    2.093      D17 =  0.39      N10 = 1.496999      ν10 = 81.5
R18 =   -3.919      D18 =  可変
R19 =   -3.027      D19 =  0.34      N11 = 1.805181      ν11 = 25.4
R20 =   -1.620      D20 =  0.12      N12 = 1.603112      ν12 = 60.6
R21 =    2.722      D21 =  可変
R22 =    3.061      D22 =  0.52      N13 = 1.496999      ν13 = 81.5
R23 =   -3.115      D23 =  0.04
R24 =    5.942      D24 =  0.45      N14 = 1.583126      ν14 = 59.4
R25 =   -2.205      D25 =  0.11      N15 = 1.846660      ν15 = 23.8
R26 =  -10.751      D26 =  可変
R27 =    ∞         D27 =  0.54      N16 = 1.516330      ν16 = 64.2
R28 =    ∞
＼焦点距離     1.00    4.83     9.16
可変間隔＼
D 5           0.16    3.53     4.49
D12           4.63    1.25     0.30
D18           0.37    0.37     0.37
D21           1.08    0.38     0.76
D26           0.54    1.24     0.86
非球面係数
R14 ｋ=-2.86825e+00 Ｂ=-3.42043e-03 Ｃ=-1.22523e-03  
R24 ｋ=-1.17374e+00 Ｂ=-6.09926e-03 Ｃ=4.12048e-03 Ｄ=-3.06857e-03 
【０１０２】
【表１】
2006215257.tif 000005
【０１０３】
各実施例では、高ズーム比でありながコンパクトで、かつ軸上色収差の二次スペクトルが良好に補正された高画素のデジタルカメラ、ビデオカメラに対応可能な高性能なズームレンズを達成している。
【０１０４】
次に本発明のズームレンズを撮影光学系として用いたデジタルカメラ（撮像装置）の実施例を図９を用いて説明する。
【０１０５】
図９において、２０はデジタルカメラ本体、２１は本発明のズームレンズによって構成された撮影光学系、２２は撮影光学系２１によって被写体像を受光するＣＣＤ等の固体撮像素子（光電変換素子）、２３は撮像素子２２が受光した被写体像に対応する情報を記録するメモリ、２４は不図示の表示素子に表示された被写体像を観察する為のファインダーである。
【０１０６】
上記表示素子は液晶パネル等によって構成され、撮像素子２２上に形成された被写体像が表示される。
【０１０７】
このように本発明のズームレンズをデジタルカメラ等の撮像装置に適用することにより、小型で高い光学性能を有する撮像装置を実現している。
【０１０８】
次に本発明のズームレンズを撮影光学系として用いたビデオカメラ（撮像装置）の実施形態を図１０を用いて説明する。
【０１０９】
図１０において１０はビデオカメラ本体、１１は本発明のズームレンズによって構成された撮影光学系、１２は撮影光学系１１によって被写体像を受光するＣＣＤ等の固体撮像素子、１３は撮像素子１２が受光した被写体像に対応する情報を記録するメモリ、１４は不図示の表示素子に表示された被写体像を観察する為のファインダーである。上記表示素子は液晶パネル等によって構成され、撮像素子１２上に形成された被写体像が表示される。
【０１１０】
このように本発明のズームレンズをビデオカメラ等の光学素子に適用することにより、小型で高い光学性能を有する撮像装置を実現している。
【図面の簡単な説明】
【０１１１】
【図１】数値実施例１のレンズ断面図
【図２】数値実施例１の収差図
【図３】数値実施例２のレンズ断面図
【図４】数値実施例２の収差図
【図５】数値実施例３のレンズ断面図
【図６】数値実施例３の収差図
【図７】数値実施例４のレンズ断面図
【図８】数値実施例４の収差図
【図９】本発明のズームレンズをデジタルカメラに適用したときの概略図
【図１０】本発明のズームレンズをビデオカメラに適用したときの概略図
【符号の説明】
【０１１２】
Ｌ１…第１レンズ群
Ｌ２…第２レンズ群
Ｌ３…第３レンズ群
Ｌ４…第４レンズ群
Ｌ５…第５レンズ群
Ｌｒ…後群
ＳＰ…絞り
ＩＰ…像面
ｄ…ｄ線
ｇ…ｇ線
Ｃ…Ｃ線
Ｆ…Ｆ線
ΔＭ…メリディオナル像面
ΔＳ…サジタル像面
Ｇ…ガラスブロック
【図１】
2006215257.tif 000006
【図２】
2006215257.tif 000007
【図３】
2006215257.tif 000008
【図４】
2006215257.tif 000009
【図６】
2006215257.tif 000010
【図７】
2006215257.tif 000011
【図８】
2006215257.tif 000012
【図９】
2006215257.tif 000013
【図１０】
2006215257.tif 000014
【図５】
2006215257.tif 000015